(57)【特許請求の範囲】
【請求項１】
（ａ）テーブルを備えるとともに、このテーブルの奥位置の上方に配される固定式の薬瓶整理棚を備える調剤台、
（ｂ）この調剤台における薬瓶整理棚の下方に配され、多数個の調剤薬瓶が収容されるとともに、所要の調剤薬瓶を取り出すための取り出し口とその取り出し口まで任意の調剤薬瓶を搬送する搬送手段とを有する薬瓶ストッカー、
（ｃ）前記薬瓶整理棚の前面に配置され、調剤のための処方データが表示されるモニターおよび
（ｄ）このモニターに処方データを出力するとともに、その処方データに対応する調剤薬瓶を前記取り出し口まで搬送するように前記搬送手段を制御するコンピュータ
を備えることを特徴とする調剤薬瓶の取り出し装置。
【請求項２】
前記取り出し口には、前記コンピュータから出力される処方データに対応する調剤薬瓶の位置を表示する表示灯が設けられる請求項１に記載の調剤薬瓶の取り出し装置。
【請求項３】
前記取り出し口には、その取り出し口に取り出すべき調剤薬瓶が位置したときに開作動する扉が設けられる請求項１または２に記載の調剤薬瓶の取り出し装置。
【請求項４】
前記搬送手段は、鉛直向きに配置され複数個の調剤薬瓶を支持して独立して循環する搬送体を水平方向に複数個並列して構成される請求項１乃至３のうちのいずれかに記載の調剤薬瓶の取り出し装置。
【請求項５】
前記搬送体は、エンドレス状の搬送チェーンとその搬送チェーンに片持ち支持される調剤薬瓶用の保持体とを有する請求項４に記載の調剤薬瓶の取り出し装置。
【請求項６】
各搬送体毎に前記取り出し口が設けられる請求項４または５に記載の調剤薬瓶の取り出し装置。
【請求項７】
前記搬送手段は、複数個の調剤薬瓶を支持して独立して回転する水平配置の回転棚を鉛直方向に複数段並列して構成される請求項１乃至３のうちのいずれかに記載の調剤薬瓶の取り出し装置。
【請求項８】
各回転棚毎に前記取り出し口が設けられる請求項７に記載の調剤薬瓶の取り出し装置。
【発明の詳細な説明】
【０００１】
【産業上の利用分野】
本発明は、病院などの薬局でコンピュータによる処方箋データに従って調剤を行う際の調剤薬瓶の取り出し装置に関するものである。
【０００２】
【従来の技術】
従来、例えば病院などの薬局では患者への投薬に際して調剤するのに、薬剤師が処方箋を片手に多数の調剤薬瓶が収容された薬瓶整理棚から所要の薬瓶を選んで取り出して調剤を行っている。また、最近では、このような調剤操作や患者に対する各種の情報を管理するなどの合理化のために、ホストコンピュータに処方箋のデータを入力して、それらのデータによって各種調剤機器を運用する方式が採用されつつある。
【０００３】
さらに、調剤に際してはその調剤の過誤を防ぐために、調剤監査システムが採用されている。この調剤監査システムは、薬剤の極量，薬剤の配合禁忌などをチェックして計量の記録を残すもので、調剤台の近傍に設けられるディスプレイに薬品データを表示し、この表示される薬品を収容する薬瓶を薬剤師が薬品棚より捜して取り出すような方式になっている。
【０００４】
【発明が解決しようとする課題】
しかしながら、調剤に際して前述のように処方箋に基づく薬品をコンピュータからのデータによりディスプレイを見ながら薬瓶整理棚から捜し出して取り出すのでは、薬剤師にとって作業上の負担が大きいという問題点がある。また、このような作業を行う際、薬剤師は取り扱い量が多くなるほどに主に薬瓶の収納位置を記憶していて、薬瓶整理棚から所要の薬瓶を感覚的に取り出して調剤することとなるが、この場合、何等かの記憶違いが生じると誤った調剤を行うことになって危険を伴うという問題点もある。したがって、コンピュータによる投薬のデータを受けて調剤作業を行うにも従来と同様の細心の注意を怠ることはできず、当然作業者には常に大きな精神的負担が作用することになる。
【０００５】
本発明は、このような問題点を解消するためになされたもので、ホストコンピュータからの投薬データを前もって把握できる利点を利用して、調剤しようとする薬品瓶を取り扱い易く、かつ分かりやすく表示して調剤時の作業者の精神的負荷を軽減できて、安全確実に調剤作業を行うことのできる調剤薬瓶の取り出し装置を提供することを目的とする。
【０００６】
【課題を解決するための手段】
前述の目的を達成するために、本発明による調剤薬瓶の取り出し装置は、
（ａ）テーブルを備えるとともに、このテーブルの奥位置の上方に配される固定式の薬瓶整理棚を備える調剤台、
（ｂ）この調剤台における薬瓶整理棚の下方に配され、多数個の調剤薬瓶が収容されるとともに、所要の調剤薬瓶を取り出すための取り出し口とその取り出し口まで任意の調剤薬瓶を搬送する搬送手段とを有する薬瓶ストッカー、
（ｃ）前記薬瓶整理棚の前面に配置され、調剤のための処方データが表示されるモニターおよび
（ｄ）このモニターに処方データを出力するとともに、その処方データに対応する調剤薬瓶を前記取り出し口まで搬送するように前記搬送手段を制御するコンピュータ
を備えることを特徴とするものである。
【０００７】
前記取り出し口には、コンピュータから出力される処方データに対応する調剤薬瓶の位置を表示する表示灯を設けるのが好ましい。また、この取り出し口には、その取り出し口に取り出すべき調剤薬瓶が位置したときに開作動する扉を設けるのが好ましい。
【０００８】
前記搬送手段としては、鉛直向きに配置され複数個の調剤薬瓶を支持して独立して循環する搬送体を水平方向に複数個並列して構成したものとすることができ、その場合、搬送体は、エンドレス状の搬送チェーンとその搬送チェーンに片持ち支持される調剤薬瓶用の保持体とを有するものとし、また、各搬送体毎に取り出し口を設けるのがよい。
また、この搬送手段としては、複数個の調剤薬瓶を支持して独立して回転する水平配置の回転棚を鉛直方向に複数段並列して構成したものとしてもよく、その場合にも、各回転棚毎に取り出し口を設けるのがよい。
【００１０】
【作用】
本発明においては、コンピュータからモニターに処方データが出力されるとともに、その処方データに対応する調剤薬瓶が搬送手段により薬瓶ストッカーの取り出し口まで搬送される。したがって、調剤作業者はモニターを視認するとともに、そのモニターに表示された処方データと取り出し口に呼び出された薬瓶とを照合してその薬瓶を取り出すことで、所要の薬品（散剤）の計量，調剤操作が容易に行え、精神的負担を軽減して作業性の向上が図られる。また、本発明によれば、前記薬瓶ストッカーが調剤台における固定式の薬瓶整理棚の下方に組み込まれているので、薬瓶の使用頻度に応じて固定式の薬瓶整理棚と循環式の薬瓶ストッカーとを使い分けることができる。したがって、調剤作業者の利便性の向上が図れ、より安全確実に調剤作業を行えるという利点がある。
【００１１】
前記取り出し口に、コンピュータから出力される処方データに対応する調剤薬瓶の位置を表示する表示灯を設けると、調剤作業者は取り出すべき調剤薬瓶の位置を容易に確認することができて作業性がより向上する。また、前記取り出し口に、取り出すべき調剤薬剤が位置したときに開作動する扉を設けると、この扉が開作動したときのみ調剤薬瓶を取り出すことができるため、調剤の誤りが確実に防がれる。
【００１２】
前記搬送手段を、鉛直向きに配置され複数個の調剤薬瓶を支持して独立して循環する搬送体を水平方向に複数個並列して構成すると、各列の搬送体が独立して駆動されて所要の複数個の調剤薬瓶へのアクセス時間を短くすることができるとともに、各列の取り出し口を同じ高さで横一列に配置することができて作業性が一層向上する。その場合、搬送体を、エンドレス状の搬送チェーンとその搬送チェーンに片持ち支持される調剤薬瓶用の保持体とを有するものとすると、各搬送体をユニット化して取り外し可能とした場合に保持体およびその周辺部の清掃等が容易に行える。
【００１３】
また、前記搬送手段を、複数個の調剤薬瓶を支持して独立して回転する水平配置の回転棚を鉛直方向に複数段並列して構成した場合にも、前記と同様複数個の調剤薬瓶へのアクセス時間を短くすることができるとともに、各列の取り出し口を縦一列に配置することができて作業性が一層向上する。
【００１５】
【実施例】
次に、本発明による調剤薬瓶の取り出し装置の具体的実施例について、図面を参照しつつ説明する。
【００１６】
図１に本発明の一実施例に係る調剤薬瓶の取り出し装置の正面図が、また図２に側面図がそれぞれ示されている。これらの図において、調剤台１は、所要高さのテーブル２を備え、そのテーブル２の奥の位置の上方に多段に薬瓶整理棚３が設けられ、この薬瓶整理棚３の下方に循環式の薬瓶ストッカー４が設けられている。テーブル２上の中央部（これに限定されない）には秤量台５が設けられ、テーブル２上で調剤の作業ができるようにされている。また、前記薬瓶整理棚３の前面適所に処方データ等を管理するコンピュータと接続される調剤データの表示用モニター６が設置されている。
【００１７】
前記表示用モニター６には調剤に関する処方データが図示されないコンピュータから順次出力され、１患者分の調剤しようとする薬品データが表示されるようになっている。そして、薬品データは薬瓶ストッカー４における後述する取り出し薬品の表示と連動するようにされている。ここで、表示用モニター６はタッチパネル式にされており、１患者分の調剤操作が終了すると調剤作業者がタッチパネルを操作することにより次の薬品データの表示が行えるよう適宜表示画面を選択できる機能を備えている。なお、この表示用モニター６は必要に応じて調剤作業者が作業上最も好適な位置に移動設置できるようにすることができる。
【００１８】
前記循環式の薬瓶ストッカー４は、図３，図４，図５に示されているような縦長の搬送ユニット７が水平方向（図１で左右方向）に複数個（この例では８個）並列状に配置されて構成されている。この搬送ユニット７は、調剤台１の裏面側から図３で矢印Ａ方向にスライドさせてその調剤台１に対してセットされ、メインテナンス時には矢印Ａと反対の方向に引き出される。
【００１９】
この搬送ユニット７は、モータ８の回転によりウォーム歯車機構９を介して駆動される下部スプロケット１０と上部スプロケット１１との間にエンドレス状に懸回されるローラチェーン１２を備え、このローラチェーン１２には、等間隔に複数個（この例では１０個）の調剤薬瓶用保持体１３がその上端部で片持ち支持されている。保持体１３の下部にはローラ（図示せず）が取り付けられ、各ローラが搬送ユニット本体１４に形成されている案内溝１５に沿って摺動するようになっている。こうして、モータ８の駆動により下部スプロケット１０が回転されると、各保持体１３は一定の姿勢を保持したままローラチェーン１２および案内溝１５に沿って循環する。
【００２０】
前記保持体１３は、前面（図３において右方）側が開放するとともに両側部に略Ｌ字形の側板１３ａ，１３ｂを有する形状とされ、この構成によって前面側から薬瓶１６の出し入れが容易に行え、かつ側面側から保持体１３の清掃が容易に行えるようになっている。なお、保持体１３が薬瓶１６の取り出し口１７にあるときには、その保持体１３の一側面は搬送ユニット本体１４に取り付けられたカバー１８により覆われている。
【００２１】
前記取り出し口１７は保持体１３から薬瓶１６を取り出し得る幅の開口部とされ、その開口部以外の薬瓶ストッカー４の外周はカバー１９により覆われている。また、この取り出し口１７にはその取り出し口１７を開放しあるいは閉じるための扉２０が設けられている。この扉２０は、扉開閉用モータ２１の回転によりラックピニオン機構２２を介して開閉作動される。また、取り出し口１７の上方隣接位置には各搬送ユニット７毎に表示灯２３が設けられている。この表示灯２３は、表示用モニター６に表示される処方データ中の薬剤番号に対応する番号を点灯，表示する。なお、図１で符号２４で示されているのは集塵口である。
【００２２】
前述の保持体１３を循環駆動するためのモータ８，扉開閉用モータ２１および表示灯２３は、コンピュータによる制御部からの信号により制御される。すなわち、表示用モニター６に表示される処方データに関連してその処方データに対応する調剤すべき薬品を収容する薬瓶１６がモータ８の駆動により取り出し口１７に回動位置され、それと同時に表示灯２３に処方データ中の薬剤番号に対応する番号が点灯，表示されるとともに、扉開閉用モータ２１の駆動により所定の取り出し口１７の扉２０が開作動される。この場合、処方データとして複数の薬品が指示されそれら各薬品が異なる搬送ユニット７に収容されている場合には、各搬送ユニット７が同時に駆動されて所要の薬瓶１６が各取り出し口１７まで搬送されるとともに、それら取り出し口１７の扉２０が開作動されると同時にそれら取り出し口１７に対応する各表示灯２３が点灯されることとなる。
【００２３】
図には示されていないが、本実施例では、秤量台５の後方に、手動操作により搬送ユニット７を操作するための操作釦が設けられている。この操作釦は例えば空になった薬瓶１６に対する薬品の詰め替え時等に操作され、この操作によって所要の保持体１３が取り出し口１７まで呼び出される。また、頻繁に取り出される同一種の薬品で消費量の多いものについては複数の薬瓶１６を異なる列に配置して空瓶になっても途切れることなく取り出せるようにされる。なお、各搬送ユニット７の薬瓶１６の収容区画ではそれぞれの薬瓶１６の重量が常時計量されるように計量手段を設けておき、取り出された薬瓶１６が戻されると前回の重量から戻された後の重量を計っていくら減量しているかをコンピュータ側にデータとしてフィードバックして計量管理するようにすることが好ましい。このようにしておくと、常時薬品の残量が管理できるので、瓶内の薬品が消費されると次の準備を速やかにできて調剤に支障を来すことがない。
【００２４】
こうして、使用頻度の高い薬瓶１６は循環式の薬瓶ストッカー４に収容され、これに対して使用頻度がきわめて少ない薬瓶１６は薬瓶整理棚３に配置されて必要に応じて簡単に取り出すことができるようにされる。
【００２５】
また、テーブル２上の秤量台５には、コンピュータからの薬品データに基づいて計量される薬品が計量誤差範囲を越えると例えばアラームなどによって計量の誤りを作業者に警告できるような手段を付設して計量の精度を維持できるようにされている。
【００２６】
次に、本実施例の調剤薬瓶の取り出し装置を用いる調剤操作の手順を図６に示されているフローチャートによって説明する。
【００２７】
まず、サブホストコンピュータから調剤に関する処方データを出力する（ステップＳ１）。次いで、この出力された処方データに基づき１患者分の調剤に関する薬品の極量，配合の禁忌など処方上での調剤監査をデータ上で行う（ステップＳ２）。
次に、前記調剤監査が行われて調剤可となれば、その調剤に使用される薬品のデータを表示用モニター６に表示する。この際、例えば３種類の散剤を混和して１つの調剤薬を調製する場合、その３種類の薬品名を表示する（ステップＳ３）。そして、表示用モニター６に所要の薬品名が表示されるのと同時に薬瓶ストッカー４の駆動部に制御指令信号を与えて各搬送ユニット７を駆動させ、該当薬瓶１６を取り出し口１７に呼び出し、同時に、所要の薬瓶１６の呼び出しに合わせて取り出し薬品の薬剤番号を表示灯２３の点灯によって表示するとともに、取り出し口１７の扉２０を開作動する（ステップＳ４）。
続いて、調剤作業者（薬剤師）は表示用モニター６を視認して薬瓶ストッカー４の取り出し口１７に呼び出されるとともに表示されている保持体１３上の薬瓶１６を薬剤番号順に取り出して、秤量台４に予め載置された薬包紙上にその薬品（散剤）を調剤に要する量目だけ取り出して計量を行う。こうして秤量台４上の薬包紙上に所要量の薬品（散剤）１品目の計量を行って、所要量取り出されると乳鉢に入れ、次に調剤のために要する薬品（散剤）の計量操作を行う。以後調剤に必要な複数の品目の薬品を表示用モニター６に表示されている指示に従って順次繰り返し計量操作を行う（ステップＳ５）。
【００２８】
この薬品の計量を所要数繰り返してそれぞれ計量された薬品は、いずれも乳鉢に入れて周知の手段で混和し、この後、公知の薬剤分包機における散剤の分割包装操作により所要服用数に分包する（ステップＳ６）。
次いで、薬剤分包機によって分包された調剤薬は調剤監査によって過誤の有無を監査する（ステップＳ７）。このようにして調剤が終わって分包されたものは、用法を記載された薬袋に収納されて患者に投薬される（ステップＳ８）。
【００２９】
前述の薬瓶ストッカー４において薬品データにより呼び出された薬瓶１６が調剤のために取り出されて元に戻されると、当該収容番地での呼び出し信号が消去され、呼び出された収容番地の薬瓶１６に対する表示灯２３のみが点灯して誤りが生じないようにされる。
【００３０】
なお、前述のように取り扱い量の多い薬品についてはコンピュータによる指示によって薬瓶ストッカー４内の薬瓶１６が呼び出されることになるが、使用頻度の極低い薬品については調剤台１の奥に設けられる薬瓶整理棚３上に配置される薬瓶１６の中から所要のものを選んで取り出し、秤量台４上で所要量の薬品（散薬）を取り出して他の薬品と混和して薬剤分包機による分包操作を行うようにすればよい。そして、１患者分もしくは１つの調剤が終わると表示用モニター６を調剤作業者が操作して次の画面を呼び出すことにより、コンピュータから次のデータ出力されて表示が替わり、同時に薬瓶ストッカー４に指令が与えられて作動され、替わった画面表示に対応する薬瓶１６が呼び出される。したがって、調剤作業者はその替わった表示による薬瓶１６を前記要領で取り出して次の薬剤の調剤作業を行えばよい。
【００３１】
本実施例においては、複数の薬品が指示された場合に複数の扉２０を同時に開作動させるようにしているが、処方データ中の薬剤番号順に一つずつ対応する扉２０を開作動させ、調剤作業者が薬瓶１６を取り出してその薬瓶１６を元の位置に戻した後その位置の扉２０を閉じ、次の扉を開くというように扉２０を順々に開作動させていくようにする実施例も可能である。この場合には、保持体１３や扉２０の所定位置にセンサを設けて各種動作を確認させるようにするのが好ましい。
【００３２】
また、本実施例においては、調剤薬瓶用保持体１３をエンドレス状のローラチェーン（搬送チェーン）１２に支持したものについて説明したが、このようなローラチェーンに代えてエンドレス状のベルトを用いても良い。
【００３３】
更に、本実施例では、固定式の薬瓶整理棚３と循環式の薬瓶ストッカー４とを一体的に設けたものについて説明したが、既設の調剤台のみが存在する場合に、この調剤台を利用してその調剤台の後方に薬瓶ストッカーを組み付けて使用に供するようにすることもできる。図７（ａ）（ｂ）には、既設の調剤台に薬剤ストッカーを後付けした場合の変形例が示されている。この例の場合、既設の調剤台１’の背面に、支持フレーム７Ａとその支持フレーム７Ａに支持される複数個（この例では１０個）の搬送ユニット７とよりなる薬瓶ストッカー４が後付けで接合される。なお、固定式の薬瓶整理棚３を備えていない点を除けばその他の構成については先の実施例と同様であるので、詳細な説明は省略することとする。
【００３４】
本実施例の調剤薬瓶の取り出し装置によれば、表示用モニター６に表示される処方データと取り出し口１７に呼び出される薬瓶１６とを直接視認して所要の薬瓶１６を取り出すことができるので、調剤作業が確実に行える。また、本実施例の場合、搬送ユニット７が個別に後方へ引出し可能にされているので、メインテナンスが容易であるという利点がある。
【００３５】
図８に本発明の他の実施例に係る調剤薬瓶の取り出し装置の正面図が、また図９に平面図がそれぞれ示されている。
この実施例では、薬瓶整理棚３の一側部に多段回転式の薬瓶ストッカー２５が設けられている。この薬瓶ストッカー２５は、複数の回転棚２６を多段円柱状に積み重ねてそれら各段の回転棚２６が回転軸心を一致させてそれぞれ独立して回転できる構成とされ、それら各段の回転棚２６をさらに円周方向に等分して複数の区画（この例では１２区画）に仕切り２７にて分割され、図示されない駆動機構によって各回転棚２６を所要回転角任意に回動できるようになっている。そして、各回転棚２６には区画された部分にそれぞれの番地が設定され、予め各番地に所定の薬瓶１６が収容されるとともに、コンピュータによる制御部と図示されない駆動機構とが繋がれて表示用モニター６に表示される薬品データに関連して所要の薬瓶１６の収容番地が取り出し口２８に回動位置されるようになっている。薬瓶１６の取り出し口２８は回転軸線に平行して各段の回転棚２６の１区画から薬瓶１６が取り出し得る幅の開口部とされ、その開口部以外の薬瓶ストッカー２５の外周がカバー２９によって囲われている。なお、薬品瓶の取り出し口２８は調剤操作を行うのに最も便利な位置に設けられる。
【００３６】
前記多段回転式の薬瓶ストッカー２５には、薬瓶１６の取り出し口２８の隣接位置に各回転棚２６ごとに前記表示用モニター６に表示される薬品データと対応する薬品瓶収容番地の表示灯３０が点灯されるように前記コンピュータによる制御部と繋がれている。そして、その表示灯３０については例えば各段の回転棚２６の位置番号に区画番号を加えた文字を表示する（一例として第２段目の７区画として『Ｂ−７』と言う具合い）ようにして調剤作業者が速やかに判別できるようにされている。
【００３７】
本実施例の調剤薬瓶の取り出し装置においても、先の実施例と同様、表示用モニター６に表示される処方データに関連してその処方データに対応する調剤すべき薬品を収容する薬瓶１６が取り出し口２８に回動位置され、それと同時に表示灯３０が点灯されて調剤すべき薬瓶１６の位置が表示される。
【００３８】
本実施例では調剤台１上に薬瓶ストッカー２５と薬瓶整理棚３とが配置された形式の場合について説明したが、図１０で示されるように、回転式の薬瓶ストッカー２５Ａのみを調剤台１Ａ上に設置する形式も採用することができる。このような形式は比較的取り扱い量が少ない場合に適している。なお、前記実施例と同じ構造の部分には同一の符号を付してその説明を省略する。
【００３９】
【発明の効果】
以上に説明したように、本発明の調剤薬瓶の取り出し装置によれば、コンピュータから投薬する１患者ごとの処方データを出力して、その処方データを調剤作業者に対して表示すると同時に薬瓶ストッカー内の所要の薬瓶を取り出し口に呼び出すようにされているので、調剤作業者がモニターに表示されている薬品データと呼び出される薬瓶とを直接視認して所要の薬剤を取り出すことができ、確実な調剤を行うことができる。また、使用頻度の低い薬瓶については固定式の薬瓶整理棚を使用して必要に応じてその薬瓶整理棚から簡単に取り出すことができる。したがって、調剤作業者は調剤しようとする薬瓶を取り扱い易く、調剤時の作業者の精神的な負担を著しく緩和でき、作業の向上に大きく貢献することができる。
【図面の簡単な説明】
【図１】本発明の一実施例に係る調剤薬瓶の取り出し装置の正面図である。
【図２】図１の側面図である。
【図３】本発明の一実施例における搬送ユニットの一側から見た斜視図である。
【図４】本発明の一実施例における搬送ユニットの他側から見た斜視図である。
【図５】本発明の一実施例における搬送ユニットの正面図である。
【図６】本発明の一実施例における調剤操作の操作手順を表すフローチャート図である。
【図７】本発明の一実施例の変形例に係る調剤薬瓶の取り出し装置の正面図（ａ）および側面図（ｂ）である。
【図８】本発明の他の実施例に係る調剤薬瓶の取り出し装置の正面図である。
【図９】図７の平面図である。
【図１０】本発明の更に他の実施例に係る調剤薬瓶の取り出し装置の側面図（ａ）および平面図（ｂ）である。
【符号の説明】
１，１’，１Ａ          調剤台
３                薬瓶整理棚
４，２５，２５Ａ  薬瓶ストッカー
６                表示用モニター
７                搬送ユニット
８                モータ
９                ウォーム歯車機構
１２              ローラチェーン（搬送チェーン）
１３              保持体
１６              薬瓶
１７，２８        取り出し口
２０              扉
２１              扉開閉用モータ
２３，３０        表示灯
２６              回転棚
【図１】
0003746079.tif 000002
【図２】
0003746079.tif 000003
【図３】
0003746079.tif 000004
【図４】
0003746079.tif 000005
【図５】
0003746079.tif 000006
【図６】
0003746079.tif 000007
【図７】
0003746079.tif 000008
【図８】
0003746079.tif 000009
【図９】
0003746079.tif 000010
【図１０】
0003746079.tif 000011